(57)【要約】   【課題】簡単な構造で伝票のスタンプ位置に確実にスタンプすることができる宅配ボックスのスタンプ装置を提供することを目的とする。  【解決手段】宅配ボックス１１のスタンプ装置１４はスタンプ１６とスタンプボタン１７と扉１３の内部側１１ａに形成される伝票受部１８で構成される。伝票受部１８は、扉１３に形成される矩形開口部１９の上辺１９ａと下辺１９ｂに矩形板を円弧状にして成る底部２０の両端部２０ａ、２０ｂとが連結され、底部２０の両側部２０ｃと矩形開口部１９の両側辺１９ｃとの隙間を一対の側壁２１で塞いで形成される。スタンプ１６は底部２０の中央部に形成される孔部２３に挿入される。弾性支持片２５の両端部２５ａが矩形枠材Ｇを介して矩形開口部１９の両側辺１９ｃに連結される。弾性支持片２５の中央部に孔２６が形成され、スタンプボタン１７の全周に形成される溝部１７ａをこの孔２６に嵌入して保持される。【選択図】  図２
2008289742.tif 000002
【特許請求の範囲】
【請求項１】
荷物を受入れる荷受室と扉を有する宅配ボックスの荷受け確認用のスタンプ装置であって、
前記スタンプ装置はスタンプとスタンプボタンと前記扉から前記宅配ボックスの内部側に凹状に形成される伝票受部とから成り、
前記伝票受部は、前記扉に形成される矩形開口部の上下辺と矩形板を曲面状にして成る底部とを連結し、この底部の両側部と前記矩形開口部の両側辺とを一対の側壁で塞いで形成され、
前記スタンプは前記底部の中央部に形成される孔部に保持され、
前記スタンプボタンは前記両側辺を連結する弾性支持片の中央部に保持されることを特徴とするスタンプ装置。
【請求項２】
請求項１に記載のスタンプ装置であって、前記一対の側壁に連結されて前記底部に平行な曲面状のガイド部を前記底部における上方域及び下方域で前記扉の表面に亘って一対備えることを特徴とするスタンプ装置。
【請求項３】
請求項１又は請求項２に記載のスタンプ装置であって、前記扉の表面における前記一対のガイド部と前記弾性支持片との隙間にそれぞれ塞ぎ板が設けられることを特徴とするスタンプ装置。
【請求項４】
請求項１乃至請求項３のいずれか１項に記載のスタンプ装置であって、前記伝票受部の底部の曲面は円弧状に形成されることを特徴とするスタンプ装置。
【発明の詳細な説明】
【技術分野】
【０００１】
本発明は宅配物を荷受けする宅配ボックスに関し、詳しくは、一般家庭等で使用される無人の宅配ボックスにおける伝票確認用のスタンプ装置の技術に関するものである。
【背景技術】
【０００２】
従来、宅配小荷物を無人で受取り受領印をスタンプできる一般家庭用の宅配ボックスとして、例えば、特許文献１の内容が知られている。
【０００３】
特許文献１の宅配ボックス４は図６に示すように、伝票Ｒを表面パネル５１とカバー５２との隙間に形成された挿入口５３から伝票スペース２内に挿入した後に、スタンプボタン６を押すことにより伝票Ｒにスタンプできる。
【０００４】
より詳しくは、伝票Ｒの表面をカバー５２側にして挿入口５３より伝票スペース２内に挿入する。そして、スタンプボタン６を押すことにより、スタンプボタン６の後端に配設された圧接板３が、ホルダー１に保持されたスタンプＳのスタンプ面Ｓ１に向かって移動して伝票スペース２に配置された伝票Ｒの表面をスタンプ面Ｓ１に押圧することができる。
【０００５】
このスタンプボタン６はスプリング６１を備え、スプリング６１の弾性力を利用してスタンプボタン６を初期位置に復帰させることができる。
【特許文献１】特開平１１−２６６９９９号公報
【発明の開示】
【発明が解決しようとする課題】
【０００６】
このような宅配ボックス４における伝票Ｒの位置合わせは、伝票スペース２内の最奥部に設けられた図示しない伝票ガイドに伝票Ｒの先端が当接したときの手の感触で判断して実施していた。
【０００７】
ところが、伝票Ｒを挿入口５３から伝票スペース２内に挿入した際に、差し込まれた伝票Ｒ自身の状態が目視できないので、伝票Ｒの挿入状態によっては伝票ガイドに当接した伝票Ｒの先端が折れ曲がって伝票ＲをスタンプＳ位置に合わせることが困難であった。
【０００８】
このため、伝票Ｒの所望のスタンプ位置にスタンプされない場合があり、宅配物を確実に宅配ボックス４に届けたという証明ができないので受取人及び配達人の双方にとって不都合が生じていた。
【０００９】
そこで、本発明はかかる従来技術の問題に鑑みなされたものであり、簡単な構造で、伝票の所望のスタンプ位置に確実にスタンプすることができる宅配ボックスのスタンプ装置を提供することを目的とする。
【課題を解決するための手段】
【００１０】
請求項１の発明は、荷物を受入れる荷受室と扉を有する宅配ボックスの荷受け確認用のスタンプ装置であって、前記スタンプ装置はスタンプとスタンプボタンと前記扉から前記宅配ボックスの内部側に凹状に形成される伝票受部とから成り、前記伝票受部は、前記扉に形成される矩形開口部の上下辺と矩形板を曲面状にして成る底部とを連結し、この底部の両側部と前記矩形開口部の両側辺とを一対の側壁で塞いで形成され、前記スタンプは前記底部の中央部に形成される孔部に保持され、前記スタンプボタンは前記両側辺を連結する弾性支持片の中央部に保持されることを特徴としている。
【００１１】
請求項２の発明は、請求項１に記載のスタンプ装置であって、前記一対の側壁に連結されて前記底部に平行な曲面状のガイド部を前記底部における上方域及び下方域で前記扉の表面に亘って一対備えることを特徴としている。
【００１２】
請求項３の発明は、請求項１又は請求項２に記載のスタンプ装置であって、前記扉の表面における前記一対のガイド部と前記弾性支持片との隙間にそれぞれ塞ぎ板が設けられることを特徴としている。
【００１３】
請求項４の発明は、請求項１乃至請求項３のいずれか１項に記載のスタンプ装置であって、前記伝票受部の底部の曲面は円弧状に形成されることを特徴としている。
【発明の効果】
【００１４】
請求項１記載の発明によれば、前記スタンプ装置の伝票受部は、前記扉に形成される矩形開口部の上下辺と矩形板を曲面状にして成る底部とを連結し、この底部の両側部と前記矩形開口部の両側辺とを一対の側壁で塞いで凹状に形成されるので、伝票受部に挿入された伝票全体が扉の外側から目視できるので伝票が確実に予定の位置に挿入されていることが容易に確認できる。このため、凹状に形成する簡単な伝票受部の構造によって伝票の所望のスタンプ位置に確実にスタンプすることができる。
【００１５】
また、前記スタンプは前記底部の中央部に形成される孔部に保持され、前記スタンプボタンは前記両側辺を連結する弾性支持片の中央部に保持されるので、弾性支持片の中央で撓んだ前記スタンプボタンは弾性支持片の垂直二等分線状に移動するので、確実に前記スタンプの位置まで移動して間違いなく伝票の所望のスタンプ位置にスタンプすることができる。
【００１６】
請求項２記載の発明によれば、前記底部に平行な曲面状のガイド部を前記底部における上方域及び下方域で一対備えるので、ガイド部にガイドされる伝票が伝票受部に沿って確実に前記スタンプの位置まで挿入できるので、請求項１記載の発明の効果と同様の効果が得られる。
【００１７】
請求項３記載の発明によれば、前記扉の表面における前記一対のガイド部と前記弾性支持片との隙間にそれぞれ塞ぎ板が設けられるので、伝票受部の凹状が隠せるので前記扉の表面の外観に優れ品質性が向上する。そして、伝票受部に挿入された伝票の上下端部が扉の外側に露出しているので伝票が確実に予定の位置に挿入されていることが容易に確認できるので、請求項１記載の発明の効果と同様の効果が得られる。
【００１８】
請求項４記載の発明によれば、前記伝票受部の底部の曲面は円弧状に形成されるので、伝票受部の凹状形状がさらに簡単な形状になるので製作コストが下がるとともに請求項１記載の発明の効果と同様の効果が得られる。
【発明を実施するための最良の形態】
【００１９】
＜本発明の実施形態＞
以下に、本発明の第一の実施形態を図１〜図４に基づいて説明する。
【００２０】
＜宅配ボックスの構成＞  
図1、図２、図３、図４に示すように、本発明の宅配ボックス１１は荷物を受入れる荷受室１２と扉１３から成り、扉１３に荷受け確認用のスタンプ装置１４が設けられる。扉１３には施錠用の鍵穴１５と扉１３を手で開閉するための開閉取手１５ａを備える。
【００２１】
スタンプ装置１４はスタンプ１６とスタンプボタン１７と扉１３を宅配ボックス１１の内部側１１ａに凹状に形成して成る伝票受部１８とで構成される。
【００２２】
伝票受部１８は、扉１３に形成される矩形開口部１９の上辺１９ａと下辺１９ｂに、矩形板を円弧状にして成る底部２０の両端部２０ａ、２０ｂを連結して形成され、この底部２０の両側部２０ｃと矩形開口部１９の両側辺１９ｃとの隙間を一対の側壁２１で塞ぐことにより形成される。
【００２３】
より詳しくは、伝票受部１８は予め底部２０と一対の側壁２１が矩形枠材Ｇに固着されて凹状に形成された後に、矩形枠材Ｇが矩形開口部１９に連結される。
【００２４】
スタンプ１６は底部２０の中央部に形成される孔部２３に挿入されるとともに図示しないホルダーによってスタンプ時に芯振れしないように確実に保持される。ここで、スタンプ１６はスタンプ液の補充がなくても一定の使用回数に対してスタンプ効果を持続することができる。
【００２５】
そして、弾性支持片２５の両端部２５ａは図示しない固着具を用いて矩形枠材Ｇに固着されて矩形開口部１９の両側辺１９ｃに配置される。この弾性支持片２５の中央部に孔２６が形成され、スタンプボタン１７はその全周に形成される溝部１７ａをこの孔２６に嵌入することで弾性支持片２５に保持される。
【００２６】
スタンプボタン１７の溝部１７ａより外側部１７ｂは指による押込み操作を快適且つ容易にするため偏平球面状に形成され、溝部１７ａより内側部１７ｃは伝票Ｑをスタンプ１６に同一軸上で均一面接触して押付けることができるように偏平円柱状に形成される。
【００２７】
＜宅配ボックスの作用＞
伝票Ｑの表面を伝票受部１８の底部２０に沿わせて伝票Ｑを挿入した際に、外側から伝票受部１８の内部が目視できるので、伝票Ｑの挿入状態が容易に確認できる。
【００２８】
このため、伝票Ｑを所定の位置に確実且つ容易に位置決めできるので伝票Ｑの所望の位置にスタンプが確実に実施できる。
【００２９】
スタンプボタン１７はスタンプボタン１７の全周に亘って形成される溝部１７ａを介して弾性支持片２５の中央部の孔２６に嵌入した状態で保持される。このため、スタンプボタン１７はスタンプ操作時の弾性支持片２５の撓み変化を溝部１７ａによって吸収できるので弾性支持片２５に安定して固着することができる。
【００３０】
＜本発明の第二の実施形態＞
本発明の第二の実施形態の宅配ボックスにおけるスタンプ装置１４ａを、図５を用いて説明するが、図２に示すスタンプ装置１４の構成と同構成部分については、図面に同符号を付して重複した説明を省略する。
【００３１】
スタンプ装置１４ａの伝票受部１８の底部２０と平行にガイド３０が上下一対設けられ、底部２０とガイド３１の間に伝票Ｑ用のガイド部３０ａが形成される。さらに矩形枠材Ｇと弾性支持片２５の間に矩形開口部１９を塞ぐ遮板３１がガイド部３０ａに連結して上下一対形成形成され、遮板３１と弾性支持片２５と間には弾性支持片２５の撓みを自在とする隙間が設けられる。
【００３２】
このため、ガイド部３０ａによって伝票を容易に伝票受部１８内にガイドできる。また、伝票受部１８に挿入された伝票Ｑの上下端部が扉１３の外側に露出するのを目視して伝票Ｑの上下位置が正しいかどうか容易に確認できるので伝票Ｑの所望の位置に確実にスタンプすることができる。
【００３３】
また、遮板３１によって伝票受部の凹状が隠せるので、外部からのスタンプ装置１４ａの外観に優れ品質性が向上する。
【００３４】
以上、本発明の実施例を図面に基づいて説明したが、具体的な構成はこの実施例に限られるものではなく本発明の要旨を逸脱しない範囲の設計変更等があっても本発明に含まれる。
【００３５】
例えば、スタンプ１６の代わりに印鑑でも構わない。
【００３６】
伝票受部１８の底部２０は、円弧状以外の曲面状でも構わない。
【図面の簡単な説明】
【００３７】
【図１】本発明の第一の実施形態における、宅配ボックス１１の斜視図である。
【図２】本発明の第一の実施形態における、図１におけるＡ−Ａ断面図である。
【図３】本発明の第一の実施形態における、図１におけるＢ−Ｂ断面図である。
【図４】本発明の第一の実施形態における、弾性支持片２５とスタンプボタン１７の取付け状態を示す正面図である。
【図５】本発明の第二の実施形態における、スタンプ装置１４ａの断面図である。
【図６】従来例における、宅配ボックス４のスタンプボタン６を後方に押すことにより伝票Ｒにスタンプする状態を示す断面図である。
【符号の説明】
【００３８】
１１  宅配ボックス
１１ａ  内部側
１３  扉
１４  スタンプ装置
１６  スタンプ
１７  スタンプボタン
１７ａ  溝部
１８  伝票受部
１９  矩形開口部
１９ａ  上辺
１９ｂ  下辺
１９ｃ  側辺
２０  底部
２０ａ  端部
２０ｂ  端部
２０ｃ  側部
２１  側壁
２３  孔部
２５  弾性支持片
２５ａ  端部
２６  孔
Ｇ  矩形枠材
【図１】
2008289742.tif 000003
【図２】
2008289742.tif 000004
【図３】
2008289742.tif 000005
【図４】
2008289742.tif 000006
【図５】
2008289742.tif 000007
【図６】
2008289742.tif 000008